(57)【特許請求の範囲】
【請求項１】
コウモリのテリトリーを妨害する周波数の超音波の波動を発生する波動発生装置と、波動発生装置が発生する超音波の波動を建物に付与し、建物を波動シールドする波動出力部とを有してなるコウモリの侵入防御装置であって、
前記波動出力部が建物に付与した超音波の波動を受信し、波動受信結果を表示する手段を備えるコウモリの侵入防御装置。
【請求項２】
前記波動出力部が建物の構造体の各所に付着される請求項１に記載のコウモリの侵入防御装置。
【請求項３】
前記波動発生装置が発生する超音波の波動の周波数を20ＫＨｚ〜160ＫＨｚの範囲内で経時的かつランダムに変化させる波動変更手段を備える請求項１又は２に記載のコウモリの侵入防御装置。
【請求項４】
請求項１〜３のいずれかに記載のコウモリの侵入防御装置を構成する波動出力部を備えた建物ユニット。
【発明の詳細な説明】
【０００１】
【発明の属する技術分野】
本発明はユニット建物等の建物へのコウモリの侵入防御装置及び建物ユニットに関する。
【０００２】
【従来の技術】
一般に、建物へのコウモリの侵入を防止する方法として、建物にネットを張ったり、薬剤を散布する方法がある。
【０００３】
【発明が解決しようとする課題】
従来技術のネットを張る方法は、ネットの経時変化による劣化、破損によって防御効果を喪失したり、建物の外観を損なう不都合がある。
【０００４】
また、薬剤を散布する方法は、薬効の経時変化による劣化によって防御効果を喪失したり、人畜にも有害となる虞がある。
【０００５】
尚、特開2000-204684号公報は、建物への害虫の侵入を防止するため、超音波の波動を木材に与えるものを開示しているが、建物へのコウモリの侵入を防御することについての示唆は一切ない。また、超音波の波長を変化させることによって多様な種類の害虫に対して幅広く防虫作用を及ぼすことも開示しているが、特定の動物の馴れによる防御効果の喪失に対する考慮は一切ない。
【０００６】
本発明の課題は、建物の外観を損ねたり、人畜に害を及ぼすことなく、建物へのコウモリの侵入を長期安定的に防止することにある。
【０００７】
また、本発明の課題は、コウモリが超音波に慣れることによる防御効果の喪失を回避することにある。
【０００８】
【課題を解決するための手段】
請求項１の発明は、コウモリのテリトリーを妨害する周波数の超音波の波動を発生する波動発生装置と、波動発生装置が発生する超音波の波動を建物に付与し、建物を波動シールドする波動出力部とを有してなるコウモリの侵入防御装置であって、前記波動出力部が建物に付与した超音波の波動を受信し、波動受信結果を表示する手段を備えるようにしたものである。
【０００９】
請求項２の発明は、請求項１の発明において更に、前記波動出力部が建物の構造体の各所に付着されるようにしたものである。
【００１０】
請求項３の発明は、請求項１又は２の発明において更に、前記波動発生装置が発生する超音波の波動の周波数を20ＫＨｚ〜160ＫＨｚの範囲内で経時的かつランダムに変化させる波動変更手段を備えるようにしたものである。
【００１１】
請求項４の発明は、請求項１〜３のいずれかに記載のコウモリの侵入防御装置を構成する波動出力部を備えた建物ユニットである。
【００１２】
【作用】
請求項１の発明によれば下記(a)〜(d)の作用がある。
(a)コウモリはお互いの交信及び採餌等のために、常に独特の超音波（標定音）を発しながら反響音を頼りに反響標定（エコロケーション）を行なって飛行している。従って、波動発生装置と波動出力部を有するコウモリ侵入防御装置を用いて、コウモリのエコロケーションを妨害する超音波の波動を建物に付与し、建物を波動シールドすることにより、建物へのコウモリの侵入を防止できる。
【００１３】
(b)ネット張りや薬剤散布の方法に比して、超音波の波動は人畜に無害で、安全性、信頼性が高い防御効果を得ることができるし、防御効果の経時変化もなく、建物へのコウモリの侵入を長期安定的に防止できる。
【００１４】
(c)波動発生装置を建物の適所に設置するとともに、波動出力部を建物の軒下、外壁、床下等に設置するだけの簡易な構成により、建物の外観を損ねることなく、建物へのコウモリの侵入を防止できる。
【００１５】
(d)波動出力部が建物に付与した超音波の波動を受信し、波動受信結果を表示する手段を備えることにより、人間の耳では確認できない超音波の波動のシールドエリア、シールド強度を容易にチェックし、より完全なコウモリの侵入防御システムを構築できる。
【００１６】
請求項２の発明によれば下記(e)の作用がある。
(e)波動出力部を建物の軒下、外壁、床下等の各所に付着させることにより、建物に簡易に取付けできるし、建物の各所に超音波の波動を直接的に効果的に付与し、建物の全体を波動シールド層で覆って一層良好な防御効果を得ることができる。
【００１７】
請求項３の発明によれば下記(f)の作用がある。
(f)波動発生装置に付帯した波動変更手段により、超音波の波動の周波数を、コウモリのエコロケーションを妨害するに好適な20ＫＨｚ〜160ＫＨｚの範囲内で経時的かつランダムに変化させることにより、コウモリが超音波に慣れることによる防御効果の喪失を回避し、建物へのコウモリの侵入を長期安定的に防止できる。また、20ＫＨｚ〜160ＫＨｚの範囲で超音波の周波数をランダムに変化させることで、各種のコウモリに対する侵入防止機能がある。尚、20ＫＨｚ付近の超音波は人の耳には気になることは殆どない。
【００１８】
請求項４の発明によれば下記(g)の作用がある。
(g)建物ユニットの工場生産段階で、波動出力部を建物ユニットに設置することができ、建物の外観を損なうことなく、建物の軒下、外壁、床下、屋根裏等の適宜箇所に波動出力部を効果的かつ容易に設置することができ、建物の品質、生産性を向上できる。
【００１９】
【発明の実施の形態】
図１はユニット建物に設置したコウモリ侵入防御装置を示す斜視図、図２は図１のユニット建物の要部を示す斜視図、図３はコウモリ侵入防御装置を示すブロック図である。
【００２０】
ユニット建物１０は、図１に示す如く、工場生産された複数の建物ユニット１１（居室ユニットと屋根ユニット）を建築現場に輸送し、建築現場に予め設けてある基礎１２の上にそれらの建物ユニット１１を据付けることにて構築される。
【００２１】
ユニット建物１０を構成する建物ユニット１１は、図２に示す如く、工場生産段階で、コウモリ侵入防御装置２０を装備せしめられている。コウモリ侵入防御装置２０は、図３に示す如く、コウモリのテリトリーを妨害する、例えば20ＫＨｚ〜160ＫＨｚの範囲の周波数の超音波の波動を発生する波動発生装置２１と、波動発生装置２１が発生する超音波の波動をユニット建物１０に付与し、ユニット建物１０を波動シールドする波動出力部２２とを有する。
【００２２】
コウモリ侵入防御装置２０は、ユニット建物１０の適所に波動発生装置２１を設置し、各建物ユニット１１の軒下１１Ａ、外壁１１Ｂ、床下（木質土台梁）１１Ｃ等に波動出力部２２を接着剤、ねじ止め等により付着して固定する。このとき、波動出力部２２は、防水性を有するものとされ、ユニット建物１０の各所に広く散在してユニット建物１０の全体を波動シールド層で覆うことができるように、各建物ユニット１１の上述の適宜位置に固定される。２３は電源プラグ、２４は接続コードである。
【００２３】
波動発生装置２１は、マイクロコンピュータ２５と周波数／時間設定部２６からなる波動変更装置２７を付帯的に備える。周波数／時間設定部２６はタイマー素子等を用いた電子回路により構成される。波動変更装置２７は、マイクロコンピュータ２５の制御プログラムにより、波動発生装置２１が発生する超音波の波動の周波数を20ＫＨｚ〜160ＫＨｚの範囲内で経時的かつランダムに変化させる。即ち、マイクロコンピュータ２５は、周波数／時間設定部２６を介して、ある一定時間ｔx1の間はある周波数ｆx1を、次の一定時間ｔx2の間は次の周波数ｆx2とする如くに変化させ、ｔx1、ｔx2…の時間間隔、ｆx1、ｆx2…の周波数の大きさをランダムに変更制御する。これにより、周波数に対するコウモリの馴れを回避する。また、20ＫＨｚ〜160ＫＨｚの範囲で超音波の周波数をランダムに変化させることで、各種のコウモリに対して影響を与えること（侵入防止機能）ができる。例えば、キクガシラコウモリに対しては、68ＫＨｚ〜105ＫＨｚの超音波が好適であり、クビワコウモリに対しては、20ＫＨｚの超音波が好適である。
【００２４】
コウモリ侵入防御装置２０は、波動出力部２２がユニット建物１０に付与した超音波の波動を受信する波動受信装置２８を付帯的に備え、波動受信装置２８の波動受信結果をマイクロコンピュータ２５で処理することにより、ユニット建物１０に形成された超音波の波動のシールドエリア、シールド強度等を演算し、この演算結果を表示する波動受信結果表示部２９を備える。尚、波動出力部２２がユニット建物１０に付与した超音波の波動を受信し、波動受信結果を表示する手段として、波動チェッカ３０を備えるものであっても良い。
【００２５】
従って、本実施形態によれば以下の作用がある。
(a)コウモリはお互いの交信及び採餌等のために、常に独特の超音波（標定音）を発しながら反響音を頼りに反響標定（エコロケーション）を行なって飛行している。従って、波動発生装置２１と波動出力部２２を有するコウモリ侵入防御装置２０を用いて、コウモリのエコロケーションを妨害する超音波の波動をユニット建物１０に付与し、ユニット建物１０を波動シールドすることにより、ユニット建物１０へのコウモリの侵入を防止できる。
【００２６】
(b)ネット張りや薬剤散布の方法に比して、超音波の波動は人畜に無害で、安全性、信頼性が高い防御効果を得ることができるし、防御効果の経時変化もなく、ユニット建物１０へのコウモリの侵入を長期安定的に防止できる。
【００２７】
(c)波動発生装置２１をユニット建物１０の適所に設置するとともに、波動出力部２２をユニット建物１０の軒下、外壁、床下等に設置するだけの簡易な構成により、ユニット建物１０の外観を損ねることなく、ユニット建物１０へのコウモリの侵入を防止できる。
【００２８】
(d)波動出力部２２をユニット建物１０の軒下、外壁、床下等の各所に付着させることにより、ユニット建物１０に簡易に取付けできるし、ユニット建物１０の各所に超音波の波動を直接的に効果的に付与し、ユニット建物１０の全体を波動シールド層で覆って一層良好な防御効果を得ることができる。
【００２９】
(e)波動発生装置２１に付帯した波動変更装置２７により、超音波の波動の周波数を、コウモリのエコロケーションを妨害するに好適な20ＫＨｚ〜160ＫＨｚの範囲内で経時的かつランダムに変化させることにより、コウモリが超音波に慣れることによる防御効果の喪失を回避し、ユニット建物１０へのコウモリの侵入を長期安定的に防止できる。また、20ＫＨｚ〜160ＫＨｚの範囲で超音波をランダムに変化させることで、各種のコウモリに対する侵入防止機能がある。尚、20ＫＨｚ付近の超音波は人の耳には気になることは殆どない。
【００３０】
(f)波動出力部２２がユニット建物１０に付与した超音波の波動を受信し、波動受信結果を表示する波動受信結果表示部２９（又は波動チェッカ３０）を備えることにより、人間の耳では確認できない超音波の波動のシールドエリア、シールド強度を容易にチェックし、より完全なコウモリの侵入防御システムを構築できる。
【００３１】
(g)建物ユニット１１の工場生産段階で、波動出力部２２を建物ユニット１１に設置することができ、ユニット建物１０の外観を損なうことなく、ユニット建物１０の軒下、外壁、床下、屋根裏等の適宜箇所に波動出力部２２を効果的かつ容易に設置することができ、ユニット建物１０の品質、生産性を向上できる。
【００３２】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明はユニット建物以外の建物にも適用できる。
【００３３】
【発明の効果】
以上のように本発明によれば、建物の外観を損ねたり、人畜に害を及ぼすことなく、建物へのコウモリの侵入を長期安定的に防止することができる。
【００３４】
また、本発明によれば、コウモリが超音波に慣れることによる防御効果の喪失を回避することができる。
【図面の簡単な説明】
【図１】  図１はユニット建物に設置したコウモリ侵入防御装置を示す斜視図である。
【図２】  図２は図１のユニット建物の要部を示す斜視図である。
【図３】  図３はコウモリ侵入防御装置を示すブロック図である。
【符号の説明】
１０  ユニット建物
１１  建物ユニット
２０  コウモリ侵入防御装置
２１  波動発生装置
２２  波動出力部
２７  波動変更装置
２８  波動受信装置
２９  波動受信結果表示部
３０  波動チェッカ
【図１】
0004716580.tif 000002
【図２】
0004716580.tif 000003
【図３】
0004716580.tif 000004